(57)【要約】【課題】施工時に天井パネルなどの天井材を外した場合において、当該天井材を外した箇所においてより好適に用いることができる天井材落下防止下面取付金具の提供。【解決手段】取り付け工具又は治具と係合する係合部１６１を有し、天井材を下面側から保持する下側落下防止部材１６と、天井材を貫通し、下側落下防止部材１６に対して取り付けられる天井材貫通部１３と、天井材を天井から吊るすための天井下地材である野縁受けに対して取り付けられる連結部材１１と、天井材貫通部１３と連結部材１１とを接続する接続部材１２と、を有する天井材落下防止下面取付金具１。【選択図】図１
0003227329.tif 000002
【実用新案登録請求の範囲】
【請求項１】
取り付け工具又は治具と係合する係合部を有し、天井材を下面側から保持する下側落下防止部材と、
前記天井材を貫通し、前記下側落下防止部材に対して取り付けられる天井材貫通部と、
前記天井材を天井から吊るすための天井下地材である野縁受けに対して取り付けられる連結部材と、
前記天井材貫通部と前記連結部材とを接続する接続部材と、
を備えることを特徴とする天井材落下防止下面取付金具。
【請求項２】
前記天井材貫通部がネジ山を外周に有する軸部を有し、
前記軸部に対して螺合する上側押え部材と、
前記軸部に対して螺合し、前記上側押え部材との間で、野縁を挟む中間保持部材と、
を備えることを特徴とする請求項１に記載の天井材落下防止下面取付金具。
【請求項３】
取り付け工具又は治具と係合する係合部を有し、天井材を下面側から保持する下側落下防止部材と、
前記天井材及び野縁を貫通し、ネジ山を外周に有する軸部を有し、前記下側落下防止部材に対して取り付けられる天井材貫通部と、
両端がアイ加工された鋼線であって、前記天井材を天井から吊るすための天井下地材である野縁受けに対して取り付けられる連結部材と、
前記軸部に対して螺合する上側押え部材と、
前記軸部に対して螺合し、前記上側押え部材との間で、前記野縁を挟む中間保持部材と、
前記軸部の上端側に螺合するアイナットと、
前記アイナットと、前記連結部材とを接続するカラビナと、
を備えることにより、前記野縁受けに対して前記天井材及び野縁が遊びを持たせて連結されていることを特徴とする天井材落下防止下面取付金具。
【考案の詳細な説明】
【技術分野】
【０００１】
本考案は、吊り天井における天井材が落下してしまうことを抑止する天井材落下防止下面取付金具に関する。
【背景技術】
【０００２】
例えばＲＣ構造の建築物等においては、天井パネル等の天井材を躯体（天井スラブ）から吊り下げる工法が広く用いられている。
当該在来工法は、躯体（天井スラブ）に埋め込まれて吊り下がっている吊ボルトに対して、野縁受けが取り付けられ、この野縁受けに対してクリップ等の部材により野縁が取り付けられる。そして、天井パネルなどの天井材が、野縁に対してネジ留め等によって取り付けられることで、吊り天井が構成される。
在来工法の吊り天井では、野縁を野縁受けに対して取り付けるクリップが、引っかけて止めるだけのような比較的簡易な構成である場合が多い。従って、地震等の揺れに基づく破損が生じ易く、クリップの破損により、野縁とこれに取り付けられている天井材が落下する場合があった。
このような問題に対して、天井材の落下を防止する天井材落下防止具に関する技術が特許文献１によって開示されている。
【先行技術文献】
【特許文献】
【０００３】
【特許文献１】実用新案登録第３２０３５６８号公報
【考案の概要】
【考案が解決しようとする課題】
【０００４】
上記特許文献１によって開示される天井材落下防止具によれば、野縁受けに対して天井材が遊びを持たせて連結されるため、当該遊びがあることにより、天井材と天井材落下防止具の緊結部分に、地震時等によって受ける衝撃を直接的に伝えないようにすることができ、これにより、天井材が落下してしまうことを防止することができるため非常に有用である。
【０００５】
本考案は、特許文献１によって開示される天井材落下防止具に関連し、施工時に天井パネルなどの天井材を外した場合において、当該天井材を外した箇所においてより好適に用いることが可能な天井材落下防止下面取付金具を提供することを目的とする。
【課題を解決するための手段】
【０００６】
（構成１）
取り付け工具又は治具と係合する係合部を有し、天井材を下面側から保持する下側落下防止部材と、前記天井材を貫通し、前記下側落下防止部材に対して取り付けられる天井材貫通部と、前記天井材を天井から吊るすための天井下地材である野縁受けに対して取り付けられる連結部材と、前記天井材貫通部と前記連結部材とを接続する接続部材と、を備えることを特徴とする天井材落下防止下面取付金具。
【０００７】
（構成２）
前記天井材貫通部がネジ山を外周に有する軸部を有し、前記軸部に対して螺合する上側押え部材と、前記軸部に対して螺合し、前記上側押え部材との間で、野縁を挟む中間保持部材と、を備えることを特徴とする請求項１に記載の天井材落下防止下面取付金具。
【０００８】
（構成３）
取り付け工具又は治具と係合する係合部を有し、天井材を下面側から保持する下側落下防止部材と、前記天井材及び野縁を貫通し、ネジ山を外周に有する軸部を有し、前記下側落下防止部材に対して取り付けられる天井材貫通部と、両端がアイ加工された鋼線であって、前記天井材を天井から吊るすための天井下地材である野縁受けに対して取り付けられる連結部材と、前記軸部に対して螺合する上側押え部材と、前記軸部に対して螺合し、前記上側押え部材との間で、前記野縁を挟む中間保持部材と、前記軸部の上端側に螺合するアイナットと、前記アイナットと、前記連結部材とを接続するカラビナと、を備えることにより、前記野縁受けに対して前記天井材及び野縁が遊びを持たせて連結されていることを特徴とする天井材落下防止下面取付金具。
【考案の効果】
【０００９】
本考案の天井材落下防止下面取付金具によれば、施工時に天井パネルなどの天井材を外した場合において、当該天井材を外した箇所においてより好適に用いることができる。
【図面の簡単な説明】
【００１０】
【図１】実施形態の天井材落下防止下面取付金具を示す図であり、（ａ）：斜視図、（ｂ）：分解斜視図
【図２】実施形態の天井材落下防止下面取付金具の施工手順の概略を示す説明図
【図３】施工手順に応じた天井材落下防止下面取付金具の状態を示す説明図
【図４】施工者の状態を示す説明図
【考案を実施するための形態】
【００１１】
以下、本考案の実施形態について、図面を参照しながら具体的に説明する。なお、以下の実施形態は、本考案を具体化する際の一形態であって、本考案をその範囲内に限定するものではない。
【００１２】
図１は、本実施形態の天井材落下防止下面取付金具１を示す図であり、（ａ）は斜視図、（ｂ）は分解斜視図である。
【００１３】
図１に示されるように、本実施形態の天井材落下防止下面取付金具１は、
取り付け工具又は治具と係合する係合部１６１を有し、天井材を下面側から保持する下側落下防止部材１６と、
天井材を貫通し、下側落下防止部材１６に対して取り付けられる天井材貫通部１３と、
天井材を天井から吊るすための天井下地材である野縁受けに対して取り付けられる連結部材１１と、
天井材貫通部１３と連結部材１１とを接続する接続部材１２と、
を有する。
【００１４】
連結部材１１は、本実施形態では、両端がアイ加工された鋼線によって構成されている。
接続部材１２は、本実施形態では、天井材貫通部１３の軸部の上端に螺着されるアイナット１２２と、アイナット１２２と連結部材１１とを接続するカラビナ１２１と、を有する。
天井材貫通部１３は、ネジ山を外周に有する軸部を有している（本実施形態では軸部そのものとして天井材貫通部１３が構成されている）。
下側落下防止部材１６は、中心部に天井材貫通部１３の軸部に対して螺合するネジ穴を有する略円盤状（板状）の部材で、取り付け工具又は治具と係合する係合部１６１が形成されている。本実施形態では、係合部１６１は二つの穴であり、この穴に係合する凸部を有する工具（電動工具等）によって軸部への螺合が行われる。なお、本実施形態では、係合部１６１が二つの穴であるものを例としているが、各種の取り付け工具又は治具の形態に合わせて、これと係合できるものであればよい（例えば、各種のレンチやドライバーと係合する形状等として、係合部が形成されるものであってよい）。
【００１５】
天井材落下防止下面取付金具１は、さらに、
天井材貫通部１３の軸部に対して螺合する上側押え部材１４と、
天井材貫通部１３の軸部に対して螺合し、上側押え部材１４との間で、野縁３３（野縁３３ｓ又は野縁３３ｗ）を挟む中間保持部材１５と、を備える。
【００１６】
中間保持部材１５は、本実施形態では、中心部に天井材貫通部１３の軸部に対して螺合するネジ穴を有する略円盤状（板状）の部材である。
上側押え部材１４は、本実施形態では、中心部に天井材貫通部１３の軸部に対して螺合するネジ穴を有する略円盤状（板状）の部材であって、外周からの切り込みによって形成される舌片部を引き起こすことによって形成されたつまみ部を２つ備えている。
【００１７】
特許文献１で示される天井材落下防止具は、基本的に、天井材を取り外さずに施工するものであった。天井材を取り外さずに作業する場合、室内側と天井裏に作業員を要する。特許文献１の図３（ｂ）に示される作業を、室内側の作業員が行い、これ以降の特許文献１の図３（ｃ）〜（ｅ）の作業を、天井裏に入り込んだ作業員が行うことになる。
これに対し、例えば、天井裏の状況などによって、天井裏に作業員が入って作業を行うことが難しい箇所においては、図４に示されるように、天井材２の一部（例えば天井パネル１枚）を取り外しての作業が必要な場合がある。
このように、天井材２の一部を取り外しての作業を行う場合、天井材２がある箇所（天井材を外していない個所）においては、特許文献１の天井材落下防止具を用いて同様に作業すること（若しくは天井裏に上半身を入れて作業する作業員のみで、手が届く範囲の作業をすること）が可能である。一方で、取り外した天井材２の範囲において、天井材落下防止具を取り付ける場合、特許文献１の天井材落下防止具では対応することができない。取り外した天井材２を元に戻した後で天井裏側での作業が必要となってしまうためである。
本実施形態の天井材落下防止下面取付金具１は、このような、取り外した天井材２の範囲においても使用すること（取り付け作業）が可能なものである。なお、本実施形態の天井材落下防止下面取付金具１は、天井材２を取り外していない範囲においても使用することができる。
【００１８】
図２は、本実施形態の天井材落下防止下面取付金具１の取り付け手順を示す説明図であり、図３は施工手順に応じた天井材落下防止下面取付金具の状態を示す説明図である。
天井材落下防止下面取付金具１は、吊り天井において、天井パネルなどの天井材が落下することを抑止するものである。在来工法における吊り天井は、一般的に、躯体（天井スラブ）に埋め込まれて吊り下がっている吊ボルト３１に螺着されるハンガー３５によって野縁受け３２が保持され、この野縁受け３２に対してクリップ３４（クリップ３４ｓ及びクリップ３４ｗ）により野縁３３（野縁３３ｓ及び野縁３３ｗ）が取り付けられる。野縁３３は野縁受け３２に対して直交する向きで取り付けられ、これにより格子状の天井下地材が形成される。ここではＭバーによって野縁３３が構成されるものを示しており、図２では、シングルバーの野縁３３ｓとダブルバーの野縁３３ｗ及び、それぞれに対応するクリップ３４ｓとクリップ３４ｗを示している。そして、天井パネルなどの天井材２が、野縁３３に対してネジ留め等によって取り付けられることで吊り天井が構成されている。
【００１９】
前述のごとく、本実施形態の天井材落下防止下面取付金具１は、天井材２を取り外した範囲において使用するものである。従って、先ずは、天井材２を取り外し、図４のようにして、天井材２がある範囲における天井材落下防止具（特許文献１で示される天井材落下防止具（本実施形態の天井材落下防止下面取付金具１を使用してもよい））の施工を行う。
次に、天井材２を取り外した範囲において本実施形態の天井材落下防止下面取付金具１の取り付けを行う。
図２（ａ）に示されるように、先ず、野縁３３の、野縁受け３２の近傍となる部分に、貫通孔Ｈを形成する。なお、貫通孔Ｈに対応する箇所の天井材２（取り外された天井パネル）にも貫通穴を形成する。
次に、図２（ｂ）に示されるように、貫通孔Ｈに対して野縁３３の下側から、中間保持部材１５が螺着された天井材貫通部１３を挿通する。図３（ａ）がこの状態を示す側面図である。
次に、図２（ｃ）に示されるように、野縁３３を貫通させて突出している天井材貫通部１３の軸部に対して、上側押え部材１４をねじ込み、且つ軸部の上端にアイナット１２２を螺着する。図３（ｂ）がこの状態を示す側面図である。本実施形態においては、上側押え部材１４の外径が、ダブルバーの野縁３３ｗの上側開口部分より小さく、シングルバーの野縁３３ｓの上側開口部分より大きく形成されている。従って、図２（ｃ）に示されるように、ダブルバーの野縁３３ｗに対しては、ダブルバーの内部に上側押え部材１４が入りこんで、野縁３３ｗを中間保持部材１５と上側押え部材１４とで挟み込む構成となり、シングルバーの野縁３３ｓに対しては、シングルバーの上部で係止される上側押え部材１４と、中間保持部材１５とによって、野縁３３ｓを挟み込む構成となる。なお、本実施形態においては、上側押え部材１４につまみ部が形成されているため、上側押え部材のねじ込みの作業性に優れ、確実に螺着させることができる。
【００２０】
次に、図２（ｄ）に示されるように、連結部材１１を野縁受け３２に通した上で、連結部材１１の両端のアイをカラビナ１２１に取り付け、カラビナ１２１をアイナット１２２に取り付ける。これによって天井裏内での作業は終了する。なお、図２（ｄ）に示される取り付け状態になるものであれば、上記各工程の順番は適宜前後させても構わない。
最後に、取り外していた天井材２を取り付け、天井材２を貫通して室内側に突出している天井材貫通部１３の軸部に対して、下側落下防止部材１６を螺合し、天井材落下防止下面取付金具１の取り付けが完了する。下側落下防止部材１６には係合部１６１（二つの穴）が形成されており、これに係合する凸部を有する工具（電動ドライバー等）によって容易且つ確実に作業を行うことができる。図３（ｃ）が天井材落下防止下面取付金具１の取り付け状態を示す側面図（連結部材１１及びカラビナ１２１については不図示）である。
【００２１】
本実施形態の天井材落下防止下面取付金具１は、特許文献１の天井材落下防止具と同様に、野縁受け３２に対して天井材２及び野縁３３を遊びを持たせて連結するものであるため、当該遊びがあることにより、天井材２（及び野縁３）と天井材落下防止下面取付金具１の緊結部分に、地震時等に受ける衝撃を直接伝えないようにすることができ、これにより、天井材２が落下してしまうことを防止することが可能である。野縁受け３２に撓みが生じた際においても、この撓みの影響を遊びによって無効化することができ、クリップ３４の破損後においても天井材２の落下を防止できるため、非常に有用である。
【００２２】
本実施形態の天井材落下防止下面取付金具１によれば、下側落下防止部材１６に、取り付け工具又は治具と係合する係合部１６１が形成されているため、室内側から下側落下防止部材１６を確実に取り付けることができ、天井材２を取り外した範囲（作業者が天井裏で作業することが困難な個所）において天井材落下防止下面取付金具１を取り付けることができる。
加えて、中間保持部材１５を有することにより、天井材２を取り外している状態（即ち、下側落下防止部材１６を取り付けることができない状態）において、野縁３３を中間保持部材１５と上側押え部材１４とで挟み込むことで部材を安定させることができる。これにより、作業性が向上すると共に、各部材の固定をより確実なものとすることができる。
【００２３】
本実施形態の天井材落下防止下面取付金具１は、新設、既設を問わず利用可能なものであると共に、カラビナや鋼線、アイナットといった汎用的な部品を使用しているため、費用対効果の面でも優れる。
【００２４】
本実施形態においては、連結部材が鋼線で形成されるものを示したが、野縁受け３２に対して天井材２を遊びを持たせて連結することができるものであれば、鋼材若しくはその他の材料によって形成されるものであってもよい。ただし、所定の強度を有しつつ、なるべく軽量にするためには鋼線が有利であり、汎用品を利用できる点でコスト的にも有利である。
【符号の説明】
【００２５】
１．．．天井材落下防止下面取付金具
２．．．天井材
１１．．．連結部材
１２．．．接続部材
１２１．．．カラビナ 
１２２．．．アイナット
１３．．．天井材貫通部
１４．．．上側押え部材
１５．．．中間保持部材
１６．．．下側落下防止部材
３１．．．吊りボルト
３２．．．野縁受け
３３．．．野縁
３４．．．クリップ
３５．．．ハンガー
Ｈ．．．貫通孔
【図１】
0003227329.tif 000003
【図２】
0003227329.tif 000004
【図３】
0003227329.tif 000005
【図４】
0003227329.tif 000006